(57)【要約】カメラ付き無線通信装置（４０）のスタンド（１０）は、ベース（１２）と、ベース（１２）に移動自在に取り付けられた調整可能な端末支持部材（１４）と、ベース（１２）に取り付けられた補助システムコネクタ（１６）とを具備する。調整可能な端末支持部材（１４）は、カメラ付き無線通信装置（４０）のシステムインタフェース（４８）に接続するシステムプラグ（２０）を含む。補助システムコネクタ（１６）は、カメラ付き無線通信装置（４０）と関連する周辺装置（５０）をベース（１２）に接続する。システムプラグ（２０）と、補助システムコネクタ（１６）とは、ベース（１２）内に張り渡されたシステムバス（１８）によって相互に接続される。
2007535213.tif 000002
【特許請求の範囲】
【請求項１】
カメラ付き無線通信装置のスタンドであって、
前記カメラ付き無線通信装置（４０）を支持するベース（１２）と、
前記カメラ付き無線通信装置（４０）のシステムインタフェース（４８）に接続するシステムプラグ（２０）を有し、前記ベース（１２）に移動自在に取り付けられた調整可能な端末支持部材（１４）と、
前記カメラ付き無線通信装置（４０）と関連する周辺装置（５０）を前記ベース（１２）に接続するために、該ベース（１２）に取り付けられた補助システムコネクタ（１６）と、
前記ベース（１２）の内部を張り渡され、前記システムプラグ（２０）と前記補助システムコネクタ（１６）とを相互に接続するシステムバス（１８）と
を具備することを特徴とするスタンド。
【請求項２】
前記システムプラグ（２０）に電力を供給するための電力バス（３０）を
さらに具備することを特徴とする請求項１に記載のスタンド。
【請求項３】
前記電力バス（３０）は、さらに、前記補助システムコネクタ（１６）に電力を供給する
ことを特徴とする請求項２に記載のスタンド。
【請求項４】
前記ベース（１２）を三脚（６０）に装着するために、該ベース（１２）の下面に配置されたねじ付き装着部（３２）を
さらに具備することを特徴とする請求項１に記載のスタンド。
【請求項５】
前記調整可能な端末支持部材（１４）は、シャフト（２８）を
具備することを特徴とする請求項１に記載のスタンド。
【請求項６】
前記シャフト（２８）は、伸縮自在のシャフトであることを特徴とする請求項５に記載のスタンド。
【請求項７】
前記調整可能な端末支持部材（１４）は、前記カメラ付き無線通信装置（４０）に１以上の自由度を与える
ことを特徴とする請求項１に記載のスタンド。
【請求項８】
前記調整可能な端末支持部材（１４）は、一方の端部に、前記ベース（１２）により移動自在に保持されるボール部材（２２）を
さらに具備することを特徴とする請求項７に記載のスタンド。
【請求項９】
前記調整可能な端末支持部材（１４）は、前記カメラ付き無線通信装置（４０）の筐体をクランプするクレードル（７０）を
さらに具備することを特徴とする請求項１に記載のスタンド。
【請求項１０】
前記クレードル（７０）は、１対のアーム（７２）を具備し、
前記１対のアームの少なくとも一方（７２ａ）は、移動自在である
ことを特徴とする請求項９に記載のスタンド。
【請求項１１】
筐体（７４）に摺動自在に結合された引込み自在の係止機構（８６）を
さらに具備することを特徴とする請求項１０に記載のスタンド。
【請求項１２】
前記引込み自在の係止機構（８６）を前記移動自在のアーム（７２ａ）と係合するように移動し、かつ、アーム（７２ａ）との係合を解除するように移動する係止レバー（７６）を
さらに具備することを特徴とする請求項１１に記載のスタンド。
【請求項１３】
前記係止レバー（７６）は、係止位置と係止解除位置との間で移動する
ことを特徴とする請求項１２に記載のスタンド。
【請求項１４】
前記補助システムコネクタ（１６）は、
前記ベース（１２）により移動自在に保持されたボール部材に該補助システムコネクタ（１６）を結合するシャフトを
具備することを特徴とする請求項１に記載のスタンド。
【請求項１５】
前記ベース（１２）により移動自在に保持されたボール部材に前記補助システムコネクタ（１６）を結合する前記シャフトは、伸縮自在のシャフトである
ことを特徴とする請求項１４に記載のスタンド。
【請求項１６】
前記補助システムコネクタ（１６）は、前記周辺装置（５０）に１以上の自由度を与える
ことを特徴とする請求項１４に記載のスタンド。
【請求項１７】
前記カメラ付き無線通信装置（４０）と関連する前記周辺装置（５０）は、フラッシュアクセサリである
ことを特徴とする請求項１に記載のスタンド。
【請求項１８】
前記カメラ付き無線通信装置（４０）と関連する前記周辺装置（５０）は、カメラである
ことを特徴とする請求項１に記載のスタンド。
【請求項１９】
前記システムバス（１８）は、前記システムプラグ（２０）を前記補助システムコネクタ（１６）に電気的に接続する
ことを特徴とする請求項１に記載のスタンド。
【請求項２０】
前記ベース（１２）は、前記カメラ付き無線通信装置（４０）の充電器である
ことを特徴とする請求項１に記載のスタンド。
【請求項２１】
前記カメラ付き無線通信装置（４０）は、一体型カメラを含むことを特徴とする請求項１に記載のスタンド。
【請求項２２】
前記カメラ付き無線通信装置（４０）は、前記システムバス（１８）を介して、別個のカメラ付属品に接続する
ことを特徴とする請求項１に記載のスタンド。
【請求項２３】
カメラ付き無線通信装置のスタンドであって
シャフト（２８）を有する端末支持部材（１４）と、
前記シャフト（２８）の一方の端部に配置され、前記カメラ付き無線通信装置（４０）のシステムインタフェース（４８）に接続するシステムプラグ（２０）とを具備することを特徴とするスタンド。
【請求項２４】
前記端末支持部材（１４）を三脚（６０）に装着するために、前記シャフト（２８）に配置されたねじ付きソケット（３２）を
さらに具備することを特徴とする請求項２３に記載のスタンド。
【請求項２５】
前記シャフト（２８）は、伸縮自在のシャフトであることを特徴とする請求項２３に記載のスタンド。
【請求項２６】
前記調整可能な端末支持部材（１４）は、前記カメラ付き無線通信装置（４０）をクランプするための１対のアーム（７２）を
さらに具備することを特徴とする請求項２３に記載のスタンド。
【請求項２７】
前記１対のアームの少なくとも一方（７２ａ）は、移動自在であることを特徴とする請求項２６に記載のスタンド。
【請求項２８】
筐体（７４）に摺動自在に結合された引込み自在の係止機構（８６）をさらに具備することを特徴とする請求項２７に記載のスタンド。
【請求項２９】
前記引込み自在の係止機構（８６）を前記移動自在のアーム（７２ａ）と係合するように移動し、かつ、該アーム（７２ａ）との係合を解除するように移動する係止レバー（７６）を
さらに具備することを特徴とする請求項２８に記載のスタンド。
【請求項３０】
前記係止レバー（７６）は、係止位置と係止解除位置との間で移動する
ことを特徴とする請求項２９に記載のスタンド。
【請求項３１】
カメラ付き無線通信装置と関連するスタンドを使用して、複数の軸に沿って前記カメラ付き無線通信装置を位置決めする方法であって、
前記カメラ付き無線通信装置（４０）のシステムインタフェース（４８）を、ベース（１２）に移動自在に取り付けられた調整可能な端末支持部材（１４）上のシステムプラグ（２０）に接続するステップと、
前記カメラ付き無線通信装置（４０）と関連する周辺装置（５０）のインタフェースを、前記ベース（１２）に取り付けられた補助システムコネクタ（１６）に接続するステップと、
前記ベース（１２）の内部を張り渡されたシステムバス（１８）によって、前記システムプラグ（２０）と前記補助システムコネクタ（１６）とを相互に接続するステップと
を含むことを特徴とする方法。
【請求項３２】
前記ベース（１２）の内部を通って前記システムプラグ（２０）まで張り渡された電力バス（３０）を介して、前記カメラ付き無線通信装置（４０）の内部のバッテリを充電するステップを
さらに含むことを特徴とする請求項３１に記載の方法。
【請求項３３】
前記システムバス（１８）を介して、前記周辺装置（５０）の内部の補助バッテリを充電するステップを
さらに含むことを特徴とする請求項３２に記載の方法。
【請求項３４】
前記調整可能な端末支持部材（１４）を回動することにより、前記カメラ付き無線通信装置（４０）を位置決めするステップを
さらに含むことを特徴とする請求項３１に記載の方法。
【請求項３５】
前記調整可能な端末支持部材（１４）において伸縮自在のシャフト（２８）を伸長することにより、該調整可能な端末支持部材（１４）に取り付けられた前記カメラ付き無線通信装置（４０）の高さを調整するステップを
さらに含むことを特徴とする請求項３１に記載の方法。
【請求項３６】
前記補助システムコネクタ（１６）を回動することにより、前記周辺装置（５０）を位置決めするステップを
さらに含むことを特徴とする請求項３１に記載の方法。
【請求項３７】
前記ベース（１２）の下面に配置されたねじ付きソケット（３２）に三脚（６０）のボルトをねじ込むことにより、前記三脚（６０）に該ベース（１２）を取り付けるステップを
さらに含むことを特徴とする請求項３１に記載の方法。
【請求項３８】
カメラ付き無線通信装置のスタンドであって、
ベース（１２）と、
システムプラグ（２０）を有し、前記ベース（１２）に取り付けられた端末支持部材（１４）と、
前記ベース（１２）に取り付けられた補助システムコネクタ（１６）と、
前記システムプラグ（２０）および前記補助システムコネクタ（１６）に電力を供給するための電力線（３０）と、
前記システムプラグ（２０）および前記補助システムコネクタ（１６）を相互に接続するシステムバス（１８）と
を具備することを特徴とするスタンド。
【請求項３９】
前記電力線（３０）は、前記ベース（１２）に接続することを特徴とする請求項３８に記載のスタンド。
【請求項４０】
前記電力線（３０）は、前記ベース（１２）の内部を通って張り渡され、かつ、前記システムプラグ（２０）に接続する
ことを特徴とする請求項３８に記載のスタンド。
【請求項４１】
前記システムバス（１８）は、前記電力線（３０）を前記補助システムコネクタ（１６）に電気的に接続する
ことを特徴とする請求項３８に記載のスタンド。
【請求項４２】
前記端末支持部材（１４）は、前記カメラ付き無線通信装置（４０）に１以上の自由度を与える
ことを特徴とする請求項４１に記載のスタンド。
【請求項４３】
前記端末支持部材（１４）は、一方の端部に、前記ベース（１２）により移動自在に保持されるボール部材（２２）を
含むことを特徴とする請求項４２に記載のスタンド。
【請求項４４】
前記システムプラグ（２０）は、前記カメラ付き無線通信装置（４０）のシステムインタフェース（４８）に接続する
ことを特徴とする請求項３８に記載のスタンド。
【請求項４５】
前記補助システムコネクタ（１６）は、前記カメラ付き無線通信装置（４０）と関連する周辺装置（５０）に接続する
ことを特徴とする請求項４４に記載のスタンド。
【請求項４６】
前記カメラ付き無線通信装置（４０）は、前記システムバス（１８）を介して、前記周辺装置（５０）と通信する
ことを特徴とする請求項４５に記載のスタンド。
【発明の詳細な説明】
【技術分野】
【０００１】
本発明は、一般に、無線通信装置の付属品（アクセサリ）に関する。特に、本発明は、一体型のカメラを有する無線通信装置の付属品に関する。
【背景技術】
【０００２】
従来の化学フィルムカメラおよびデジタルカメラは、三脚に取り付け可能である。三脚の使用によりカメラの多軸運動が可能となるため、カメラを所望の角度に傾けたり、回転させたりできる。三脚は、カメラを安定させる支持台である。そのため、撮影者は、ハンズフリー撮影、長時間露光撮影および遠隔撮影のような撮影作業を思い通りに進めることができる。
【０００３】
携帯電話および携帯情報端末（ＰＤＡ）などの多くの無線通信装置は、内蔵型のデジタルカメラを標準装備している。また、別個のカメラアクセサリーを接続可能な無線通信装置もある。
【発明の開示】
【発明が解決しようとする課題】
【０００４】
しかし、メーカは、大きさ、脆弱性および美観に対する制限を無線通信装置に課しているため、当該無線通信装置の内部または外面に固定される構造物を装備することを禁止している。さらに、従来の装置には、１以上の自由度をもって操作する能力がない。したがって、従来の装置は、レンズの視野内に直接的に入る位置に存在する被写体（人物または物）の写真撮影しかできない。そのため、無線通信装置による写真撮影は制限されてしまう。
【０００５】
本発明は、上述の問題に鑑みてなされたものであり、多軸位置決め制御を実行可能であり、従来の三脚と結合する適応性を有するカメラ付き無線通信装置の小型付属品を提供することを目的とする。
【課題を解決するための手段】
【０００６】
本発明は、カメラ付き無線通信装置のために特別に設計されたスタンドに係る。本スタンドの第１の実施形態は、支持するベースと、当該ベースに移動自在に取り付けられた調整可能な端末支持部材と、当該ベースに取り付けられた補助システムコネクタとを具備する。調整可能な端末支持部材は、無線通信装置を支持し、装置の位置を調整できる。調整可能な端末支持部材は、カメラ付き無線通信装置のシステムインタフェースに接続するシステムプラグを含む。補助システムコネクタは、周辺装置、例えば、フラッシュ装置をベースに接続する。システムバスは、システムプラグと補助システムコネクタとを相互に接続するために、ベース内を張り渡されている。これにより、カメラ付き無線通信装置が周辺装置に接続される。
【発明を実施するための最良の形態】
【０００７】
ここでは、図面を参照して、本発明の第１の実施形態によるスタンドについて説明する。図中符号１０は、スタンド全体を示す。スタンド１０は、カメラ付き移動通信装置４０のために特別に設計されている。このスタンド１０は、ユーザが静止画および動画の少なくと一方を保存することと、無線通信ネットワークを介して遠隔場所の第三者と通信することとをカメラ付き移動通信装置４０に可能にさせる。移動通信装置４０は、カメラ機能を装備した携帯情報端末（ＰＤＡ）または他の無線通信装置であってもよい。移動通信装置４０は、ディスプレイ４２と、カメラレンズ４４と、キーパッド４６と、システムインタフェース４８と、遠隔地の第三者との無線通信を容易にするためのトランシーバおよびアンテナ（図示せず）とを具備する。ディスプレイ４２は、ファインダとして機能し、ユーザは、カメラレンズ４４を通して取り込まれた画像をこのファインダにより見ることができる。キーパッド４６は、カメラ機能を含めた移動通信装置４０の機能をユーザに制御させる。また、システムインタフェース４８は、いくつかの所望の付属品における接続を容易にする。
【０００８】
図１に示すように、スタンド１０は、補助システムコネクタ１６を有するベース１２と、システムプラグ２０を有する調整可能な端末支持部材１４と、システムバス１８とを具備する。システムバス１８は、補助システムコネクタ１６をシステムプラグ２０に電気的に接続する。ベース１２は、相対的に幅広く、平坦な底面を有しているため、支持面上に設置したときに移動通信装置４０を固定させる。ベース１２の上面は、調整可能な端末支持部材１４を嵌入するためのソケット２６を含む。ベース１２の正面部分は、後により詳細に説明されるように、周辺装置を接続するための補助システムコネクタ１６を含む。
【０００９】
調整可能な端末支持部材１４は、ベース１２のソケット２６に嵌入されるボール部材２２を含む。ボール部材２２は、垂直軸に関して回動するとともに、移動通信装置４０を前後左右に回転させる。シャフト２８は、システムプラグ２０をボール部材２２に接続する。第１の実施形態において、シャフト２８は、伸縮自在のシャフトであり、ユーザに移動通信装置４０を上下動させる。システムプラグ２０は、移動通信装置４０のシステムインタフェース４８に接続される。また、システムプラグ２０は、移動通信装置４０がシステムプラグ２０に接続されたときに、システムインタフェース４８の１以上の対応する接点とかみ合う１以上の接点２４を含む。
【００１０】
調整可能な端末支持部材１４が図示されるボールソケット型の機構以外の機構を具備してもよいことを理解すべきである。例えば、第１の実施形態において、調整可能な端末支持部材１４は、ベース１２に固定して取り付けられた可撓性チューブまたはグースネック形のシャフトを具備してもよい。他の実施形態によれば、調整可能な端末支持部材１４は、フリー・バランス・アームを具備する。当業者に理解されるように、移動通信装置４０の多軸制御を可能にし、かつ、どのような所望の角度にも移動通信装置４０を動かすことができる機構であれば、他の機構も同等に適切であると言える。
【００１１】
システムバス１８は、調整可能な端末支持部材１４およびベース１２の内部を通り、システムプラグ２０と補助システムコネクタ１６とを相互に接続する。このようにシステムバス１８を通すことにより、配線が絡まる可能性を低減させ、ワイヤは接続され、さらに美的に見た目のよい外観にさせる。システムバス１８は、システムプラグ２０と補助システムコネクタ１６との間に、データ、同期信号および電力などの電気信号を通信するための電気経路を形成する１本以上のワイヤまたはケーブルを含む。第１の実施形態において、システムバス１８は、システムプラグ２０の接点２４と補助システムコネクタ１６との間に直通接続を形成するリボンケーブルを具備する。補助システムコネクタ１６の構成は、移動通信装置４０のシステムインタフェース４８の構成と同一であってもよいが、同一でなくてもよい。これにより、移動通信装置４０は、周辺装置が直接にシステムインタフェース４８にプラグ接続されたかのように、補助システムコネクタ１６に接続された周辺装置と通信できる。すなわち、移動通信装置４０と関連する周辺装置との直接接続時にそれらの装置間で通常通信されるどのような信号も、システムバス１８を介して通信されうる。
【００１２】
上述したように、補助システムコネクタ１６は、システムバス１８を介して周辺装置を移動通信装置４０に接続する。図示される周辺装置はフラッシュアクセサリ５０であるが、システムインタフェース４８に接続可能なあらゆる付属品を補助システムコネクタ１６に接続してもよい。例えば、フラッシュアクセサリ５０は、一体型カメラを含まない装置により使用される別個のカメラとフラッシュアクセサリを具備してもよい。補助システムコネクタ１６は、フラッシュアクセサリ５０のインタフェース５２にある１以上のピンに対応する１つ以上の接点を具備する。従来、フラッシュアクセサリ５０のインタフェース５２と移動通信装置４０のシステムインタフェース４８との間で信号を通信するために、インタフェース５２は、システムインタフェース４８に接続される。本実施形態によれば、それらの信号は、システムバス１８を介して送信される。したがって、例えば、ユーザが写真を撮影する場合、移動通信装置４０は、フラッシュアクセサリ５０を起動するためにシステムバス１８を介して信号を送信してもよい。
【００１３】
或いは、図１Ａに示すように、補助システムコネクタ１６は、調整可能な端末支持部材１４の構造に類似する構造を有してもよい。特に、補助システムコネクタ１６は、調整可能な支持部材（伸縮自在のシャフトを有する。）１７の一方の端部に配置されてもよい。したがって、補助システムコネクタ１６は、垂直軸に関して回動するとともに、フラッシュアクセサリ５０の前後左右への回転運動を可能にする。
【００１４】
好適な実施形態において、スタンド１０は、スタンド１０を外部ＡＣ／ＤＣ変換器などの外部電源（図示せず）に接続する電力コード３０をさらに含む。或いは、ＡＣ／ＤＣ変換器は、ベース１２に一体化されてもよい。したがって、スタンド１０は、例えば、移動通信装置４０およびフラッシュアクセサリ５０の少なくとも一方のバッテリを充電し、かつ、電力を供給する充電器を具備してもよい。美観を損ねず配線の絡まりを防ぐために、システムバス１８と同様に、電力コード３０の大部分は、調整可能な端末支持部材１４およびベース１２に内蔵される。
【００１５】
使用中に、ユーザは、静止画および動画の少なくとも一方を取り込むために、テーブルまたは他の適切な面の上にスタンド１０を設置すればよい。特に、ユーザは、移動通信装置４０のシステムインタフェース４８をシステムプラグ２０に単純に接続すればよい。また、補助照明が必要な場合に、ユーザは、フラッシュアクセサリ５０のインタフェース５２を補助システムコネクタ１６に接続してもよい。その後、ユーザは、伸縮自在のシャフトを伸長するか、調整可能な端末支持部材１４を所望の位置まで動かすかの少なくとも一方を行うことにより、移動通信装置４０を所望の位置に調整する。それらの可能な動作のいくつかが、図２および図３に示される。例えば、ユーザは、移動通信装置４０を垂直軸に関して回動するとともに、前後左右に回動してもよい。さらに、ユーザは、調整可能な端末支持部材１４により許容されるどのような位置へも移動通信装置４０を動かしてよい。位置決めが完了した後、ユーザは、キーパッドまたは別個の遠隔制御装置（図示せず）を介してカメラを起動する。そこで、移動通信装置４０は、システムバス１８を介して信号を送信することによりフラッシュアクセサリ５０を起動し、レンズ４４を操作して画像を取り込む。
【００１６】
図４は、本発明の他の実施形態におけるベース１２を安定して支持するためのテーブル、机または他の支持面が存在しない場合の設置方法を示す図である。特に、スタンド１０は、三脚６０に装着されてもよい。三脚６０は、平坦な面と、機械式留め具、例えば、ねじ付きボルトとを有するプラットフォーム６２を含む。ボルトのねじは、ベース１２の底面に配置されたねじ付きソケット３２に機械加工されたねじと対応する。スタンド１０を三脚６０に固定するために、ユーザは、単に、ソケット３２をボルトと整列させ、ベース１２をプラットフォーム６２にねじ留めするだけである。三脚６０への装着後、ユーザは、移動通信装置４０およびフラッシュアクセサリ５０を接続し、先に説明したように、それらの装置の位置決めを行う。したがって、スタンド１０は、屋内および屋外のどちらの状況でも使用される。
【００１７】
図５Ａおよび図５Ｂは、本発明の他の実施形態における調整可能な端末支持部材を示す。調整可能な端末支持部材１４は、移動通信装置４０の形状、サイズまたはメーカに関わらず、移動通信装置４０をクランプする汎用クレードル７０を含む。クレードル７０は、１対のアーム７２ａ、７２ｂと、筐体７４と、移動自在の歯車８０に結合された係止レバー７６と、筐体７４に摺動自在に結合された引込み自在の爪８６とを具備する。クレードル７０を三脚６０にかみ合わせるために、ねじ付きソケット３２は、支柱７８の底面に配置される。
【００１８】
１対のアーム７２の少なくとも一方は、筐体７４に出入りするように調整可能である。このアーム７２は、引込み自在の爪８６の係止歯８８と係合する複数の歯９０を含む。図５Ａおよび図５Ｂの実施形態において、アーム７２ａは調整自在であり、アーム７２ｂは筐体７４に結合される。しかし、双方のアーム７２ａ、７２ｂが調整自在であってもよいということが当業者に理解されるであろう。通常、アーム７２は剛体であるが、移動通信装置４０の筐体をクランプするために、半可撓性材料から製造されてもよい。第１の実施形態において、アーム７２は剛体であるが、ゴム引き材料で被覆される。ゴム引き材料は、移動通信装置４０の筐体に傷がつかないように保護する。移動通信装置４０をしっかり握りやすくするために、ゴム引き材料は、圧縮性を有していてもよい。
【００１９】
係止レバー７６は、軸８２を介して歯車８０に結合する。軸８２は、筐体７４に回転自在に結合される。歯車８０の１以上の歯８４は、引込み自在の爪８６にある１以上の対応する歯とかみ合う。係止レバー７６を係止位置から係止解除位置へ（またはその逆に）動かすと、歯車８０が回転し、引込み自在の爪８６は前後に摺動する。引込み自在の爪８６が前後に摺動することで、係止歯８８は、アーム７２ａの対応する歯９０と係合または係合解除して、アーム７２ａを係止または係止解除する。したがって、移動通信装置４０のサイズまたは形状に関わらず、ユーザは、アーム７２ａおよび７２ｂの間に移動通信装置４０を配置し、かつ、係止レバー７６を係止位置へ動かすことにより、移動通信装置４０をクランプできる。
【００２０】
図５Ａの実施形態は、三脚６０とかみ合わせるように設計されているが、本発明がこれに限定されないことを理解すべきである。例えば、図６は、図１の実施形態に非常に類似した他の実施形態を示す図である。図１に示すように、システムプラグ１６は、システムインタフェース４８に接続する。また、フラッシュアクセサリ５０は、補助システムコネクタ１６に接続する。したがって、ベース１２にかみ合わされるかまたは三脚６０にかみ合わされるかに関わらず、クレードル７０は、１以上の自由度で移動自在である。
【００２１】
図７および図８は、さらに他の実施形態よるスタンドを示す図である。スタンド１０は、調整可能な端末支持部材１４、システムプラグ１６およびねじ付きソケット３２のみを具備する。本実施形態は、コンパクトな構造であるため、既に三脚６０を所有しているユーザは、三脚６０に既に備わっている位置決め機能をフルに活用できる。本実施形態において、ユーザは、システムプラグ１６をシステムインタフェース４８に接続し、プラットフォーム６２に取り付けられた既存の機械式留め具とねじ付きソケット３２をかみ合わせることにより、スタンド１０を三脚６０に装着する。接続を完了すると、移動通信装置４０の高さおよび角度を調整するために、ユーザは、三脚６０の位置制御を調整する。
【００２２】
或いは、スタンド１０は、ねじ付きの機械式留め具が含まれない三脚とかみ合うように構成されてもよい。例えば、図６の実施形態は、プラットフォーム６２の凹部（図示せず）に嵌合され、プラットフォーム６２に固定してクランプされてもよい。様々な三脚は、カメラまたはビデオ装置を固定するための様々な機構を有し、スタンド１０が、それらのいずれの機構ともかみ合うように構成されてもよいということは、当業者に理解されるであろう。
【００２３】
本発明の本質的特徴から逸脱せずに、本明細書中で特定して説明された方法以外の他の方法で本発明が実施されてもよいことは言うまでもない。したがって、上述した実施形態は、あらゆる面において例示であって、限定的な意味を持たないと考えられるべきであり、添付の請求の範囲における意味および均等の範囲内に入る全ての変更は、技術的範囲に包含されることが意図されている。
【図面の簡単な説明】
【００２４】
【図１】本発明の第１の実施形態を示す図である。
【図１Ａ】本発明の他の実施形態を示す図である。
【図２】本発明の第１の実施形態による多軸制御を示す側面図である。
【図３】本発明の第１の実施形態による多軸制御を示す正面図である。
【図４】三脚に取り付けられた本発明の第１の実施形態を示す正面図である。
【図５Ａ】、
【図５Ｂ】本発明の他の実施形態を示す図である。
【図６】図５Ａ〜図５Ｂに示される本発明の他の実施形態を示す図である。
【図７】本発明のさらに他の実施形態を示す図である。
【図８】三脚に取り付けられた図６の実施形態を示す図である。
【図１】
2007535213.tif 000003
【図１Ａ】
2007535213.tif 000004
【図２】
2007535213.tif 000005
【図３】
2007535213.tif 000006
【図４】
2007535213.tif 000007
【図５Ａ】
2007535213.tif 000008
【図５Ｂ】
2007535213.tif 000009
【図６】
2007535213.tif 000010
【図７】
2007535213.tif 000011
【図８】
2007535213.tif 000012
【手続補正書】
【提出日】平成17年10月6日(2005.10.6)
【手続補正１】
【補正対象書類名】特許請求の範囲
【補正対象項目名】全文
【補正方法】変更
【補正の内容】
【特許請求の範囲】
【請求項１】
カメラ付き無線通信装置のスタンドであって、
前記カメラ付き無線通信装置（４０）を支持するベース（１２）と、
前記カメラ付き無線通信装置（４０）に接続するシステムプラグ（２０）を有し、複数の軸で移動する調整可能な端末指示部材となるように、前記ベース（１２）に移動自在に取り付けられた前記調整可能な端末支持部材（１４）と、
前記カメラ付き無線通信装置（４０）と関連する周辺装置（５０）を前記ベース（１２）に接続するために、該ベース（１２）に取り付けられた補助システムコネクタ（１６）と、
前記ベース（１２）の内部を張り渡され、前記システムプラグ（２０）と前記補助システムコネクタ（１６）とを相互に接続するシステムバス（１８）と
を具備することを特徴とするスタンド。
【請求項２】
前記システムプラグ（２０）に電力を供給するための電力バス（３０）を
さらに具備することを特徴とする請求項１に記載のスタンド。
【請求項３】
前記電力バス（３０）は、さらに、前記補助システムコネクタ（１６）に電力を供給する
ことを特徴とする請求項２に記載のスタンド。
【請求項４】
前記ベース（１２）を三脚（６０）に装着するために、該ベース（１２）の下面に配置されたねじ付き装着部（３２）を
さらに具備することを特徴とする請求項１に記載のスタンド。
【請求項５】
前記調整可能な端末支持部材（１４）は、シャフト（２８）を
具備することを特徴とする請求項１に記載のスタンド。
【請求項６】
前記シャフト（２８）は、伸縮自在のシャフトであることを特徴とする請求項５に記載のスタンド。
【請求項７】
前記調整可能な端末支持部材（１４）は、前記カメラ付き無線通信装置（４０）に２以上の自由度を与える
ことを特徴とする請求項１に記載のスタンド。
【請求項８】
前記調整可能な端末支持部材（１４）は、一方の端部に、前記ベース（１２）により移動自在に保持されるボール部材（２２）を
さらに具備することを特徴とする請求項７に記載のスタンド。
【請求項９】
前記調整可能な端末支持部材（１４）は、前記カメラ付き無線通信装置（４０）の筐体をクランプするクレードル（７０）を
さらに具備することを特徴とする請求項１に記載のスタンド。
【請求項１０】
前記クレードル（７０）は、１対のアーム（７２）を具備し、
前記１対のアームの少なくとも一方（７２ａ）は、移動自在である
ことを特徴とする請求項９に記載のスタンド。
【請求項１１】
筐体（７４）に摺動自在に結合された引込み自在の係止機構（８６）を
さらに具備することを特徴とする請求項１０に記載のスタンド。
【請求項１２】
前記引込み自在の係止機構（８６）を前記移動自在のアーム（７２ａ）と係合するように移動し、かつ、アーム（７２ａ）との係合を解除するように移動する係止レバー（７６）を
さらに具備することを特徴とする請求項１１に記載のスタンド。
【請求項１３】
前記係止レバー（７６）は、係止位置と係止解除位置との間で移動する
ことを特徴とする請求項１２に記載のスタンド。
【請求項１４】
前記補助システムコネクタ（１６）は、
前記ベース（１２）により移動自在に保持されたボール部材に該補助システムコネクタ（１６）を結合するシャフトを
具備することを特徴とする請求項１に記載のスタンド。
【請求項１５】
前記ベース（１２）により移動自在に保持されたボール部材に前記補助システムコネクタ（１６）を結合する前記シャフトは、伸縮自在のシャフトである
ことを特徴とする請求項１４に記載のスタンド。
【請求項１６】
前記補助システムコネクタ（１６）は、前記周辺装置（５０）に１以上の自由度を与える
ことを特徴とする請求項１４に記載のスタンド。
【請求項１７】
前記カメラ付き無線通信装置（４０）と関連する前記周辺装置（５０）は、フラッシュアクセサリである
ことを特徴とする請求項１に記載のスタンド。
【請求項１８】
前記カメラ付き無線通信装置（４０）と関連する前記周辺装置（５０）は、カメラである
ことを特徴とする請求項１に記載のスタンド。
【請求項１９】
前記システムバス（１８）は、前記システムプラグ（２０）を前記補助システムコネクタ（１６）に電気的に接続する
ことを特徴とする請求項１に記載のスタンド。
【請求項２０】
前記ベース（１２）は、前記カメラ付き無線通信装置（４０）の充電器である
ことを特徴とする請求項１に記載のスタンド。
【請求項２１】
前記カメラ付き無線通信装置（４０）は、一体型カメラを含むことを特徴とする請求項１に記載のスタンド。
【請求項２２】
前記カメラ付き無線通信装置（４０）は、前記システムバス（１８）を介して、別個のカメラ付属品に接続する
ことを特徴とする請求項１に記載のスタンド。
【請求項２３】
カメラ付き無線通信装置のスタンドであって
長さを調整可能なシャフト（２８）を有する端末支持部材（１４）と、
前記シャフト（２８）の一方の端部に配置され、前記カメラ付き無線通信装置（４０）をベース上に支持する接続部材とを具備することを特徴とするスタンド。
【請求項２４】
前記ベースは、三脚（６０）を具備し、
前記端末支持部材（１４）を前記三脚（６０）に装着するために、前記シャフト（２８）の他方の端部に配置されたねじ付きソケット（３２）を
さらに具備することを特徴とする請求項２３に記載のスタンド。
【請求項２５】
前記シャフト（２８）は、伸縮自在のシャフトであることを特徴とする請求項２３に記載のスタンド。
【請求項２６】
前記接続部材は、前記カメラ付き無線通信装置（４０）をクランプするための相対する１対のアーム（７２）を
さらに具備することを特徴とする請求項２３に記載のスタンド。
【請求項２７】
前記１対のアームの少なくとも一方（７２ａ）は、移動自在であることを特徴とする請求項２６に記載のスタンド。
【請求項２８】
前記端末支持部材（１４）は、筐体（７４）に摺動自在に結合された引込み自在の係止機構（８６）を有する前記筐体（７４）をさらに具備することを特徴とする請求項２７に記載のスタンド。
【請求項２９】
前記引込み自在の係止機構（８６）を前記移動自在のアーム（７２ａ）と係合するように移動し、かつ、該アーム（７２ａ）との係合を解除するように移動する係止レバー（７６）を
さらに具備することを特徴とする請求項２８に記載のスタンド。
【請求項３０】
前記係止レバー（７６）は、係止位置と係止解除位置との間で移動する
ことを特徴とする請求項２９に記載のスタンド。
【請求項３１】
前記接続部材は、前記カメラ付無線通信装置（４０）に接続するためのプラグを具備することを特徴とする請求項２３に記載のスタンド。
【請求項３２】
カメラ付き無線通信装置と関連するスタンドを使用して、複数の軸に沿って前記カメラ付き無線通信装置を位置決めする方法であって、
前記カメラ付無線装置（４０）が複数の軸で移動自在となるように、前記カメラ付き無線通信装置（４０）を、ベース（１２）に移動自在に取り付けられた調整可能な端末支持部材（１４）上のプラグ（２０）に接続するステップと、
前記カメラ付き無線通信装置（４０）と関連する周辺装置（５０）のインタフェースを、前記ベース（１２）に取り付けられた補助システムコネクタ（１６）に接続するステップと、
前記ベース（１２）の内部を張り渡されたシステムバス（１８）によって、前記プラグ（２０）と前記補助システムコネクタ（１６）とを相互に接続するステップと
を含むことを特徴とする方法。
【請求項３３】
前記ベース（１２）の内部を通って前記システムプラグ（２０）まで張り渡された電力バス（３０）を介して、前記カメラ付き無線通信装置（４０）の内部のバッテリを充電するステップを
さらに含むことを特徴とする請求項３２に記載の方法。
【請求項３４】
前記システムバス（１８）を介して、前記周辺装置（５０）の内部の補助バッテリを充電するステップを
さらに含むことを特徴とする請求項３３に記載の方法。
【請求項３５】
前記調整可能な端末支持部材（１４）を回動することにより、前記カメラ付き無線通信装置（４０）を位置決めするステップを
さらに含むことを特徴とする請求項３２に記載の方法。
【請求項３６】
前記調整可能な端末支持部材（１４）において伸縮自在のシャフト（２８）を伸長することにより、該調整可能な端末支持部材（１４）に取り付けられた前記カメラ付き無線通信装置（４０）の高さを調整するステップを
さらに含むことを特徴とする請求項３２に記載の方法。
【請求項３７】
前記補助システムコネクタ（１６）を回動することにより、前記周辺装置（５０）を位置決めするステップを
さらに含むことを特徴とする請求項３２に記載の方法。
【請求項３８】
前記ベース（１２）の下面に配置されたねじ付きソケット（３２）に三脚（６０）のボルトをねじ込むことにより、前記三脚（６０）に該ベース（１２）を取り付けるステップを
さらに含むことを特徴とする請求項３２に記載の方法。
【国際調査報告】
2007535213.tif 000013
2007535213.tif 000014
2007535213.tif 000015